(57)【要約】【課題】  デジタル素材の課金を行なう。【解決手段】  素材をクライアントユーザが自由にアップロードしたり価格を設定して多くの人に利用してもらうシステムを提供する際、元のデジタル素材を編集した編集データの価格の中に各素材の価格も自動設定されることにより元のデジタル素材に関しても課金されるようにする。【選択図】        図６
2006268113.tif 000002
【特許請求の範囲】
【請求項１】
アップロードされたデジタル素材データを保管する保管手段と、
前記保管されたデジタル素材データに価格を付ける価格手段と、
前記デジタル素材データと価格とを提示するための情報提示用データを作成する作成手段と、
他装置からの検索要求に応じて、前記情報提示用データを前記他装置に閲覧させる閲覧手段と、
前記他装置からダウンロード要求されたデジタル素材データをダウンロードさせるとともに、当該デジタル素材データの価格に基づいて課金を行なう課金手段と、
を有することを特徴とするデジタル素材管理システム。
【請求項２】
前記保管手段は、オリジナルのデジタル素材を編集加工した編集データも保管し、
前記価格手段は、前記保管された編集データに対して、オリジナル素材データの価格を反映させて価格をつけ、
前記課金手段は、ダウンロード要求された編集データをダウンロードさせるとともに、当該編集データの課金と当該編集データのオリジナル素材データの課金とを行なうことを特徴とする請求項１に記載のデジタル素材管理システム。
【請求項３】
アップロードされたデジタル素材データを保管する保管ステップと、
前記保管されたデジタル素材データに価格を付ける価格ステップと、
前記デジタル素材データと価格とを提示するための情報提示用データを作成する作成ステップと、
他装置からの検索要求に応じて、前記情報提示用データを前記他装置に閲覧させる閲覧ステップと、
前記他装置からダウンロード要求されたデジタル素材データをダウンロードさせるとともに、当該デジタル素材データの価格に基づいて課金を行なう課金ステップと、
を有することを特徴とするデジタル素材管理方法。
【請求項４】
前記保管ステップでは、オリジナルのデジタル素材を編集加工した編集データも保管し、
前記価格ステップでは、前記保管された編集データに対して、オリジナル素材データの価格を反映させて価格をつけ、
前記課金ステップでは、ダウンロード要求された編集データをダウンロードさせるとともに、当該編集データの課金と当該編集データのオリジナル素材データの課金とを行なうことを特徴とする請求項３に記載のデジタル素材管理方法。
【発明の詳細な説明】
【技術分野】
【０００１】
本発明は、デジタル素材の管理に係わるデジタル素材管理システム、デジタル素材管理方法に関する。
【背景技術】
【０００２】
従来のＷｅｂシステムではＷｅｂコンテンツをある程度自由に公開したり、時には課金システムを採用して素材やデータをダウンロードできるようにしたシステムがあった。
【特許文献１】特開２００２−２４５０４５号公報
【発明の開示】
【発明が解決しようとする課題】
【０００３】
本システムでは、素材をクライアントユーザが自由にアップロードしたり価格を設定して多くの人に利用してもらうシステムを提供する際、元のデジタル素材を編集した編集データの価格の中に各素材の価格も自動設定されることにより元のデジタル素材に関しても課金されるようにする。
【０００４】
また本システムはデータの情報や利用状態など一括管理することができ、情報の共有や様々なデザインにおける共有データベースとして利用できたり、作成履歴情報の公開などを行なうことができるようにする。
【課題を解決するための手段】
【０００５】
上記課題を解決するために、本発明のデジタル素材管理システムは、アップロードされたデジタル素材データを保管する保管手段と、前記保管されたデジタル素材データに価格を付ける価格手段と、前記デジタル素材データと価格とを提示するための情報提示用データを作成する作成手段と、他装置からの検索要求に応じて、前記情報提示用データを前記他装置に閲覧させる閲覧手段と、前記他装置からダウンロード要求されたデジタル素材データをダウンロードさせるとともに、当該デジタル素材データの価格に基づいて課金を行なう課金手段と、を有することを特徴とする。
【発明の効果】
【０００６】
本システムにおいては、画像や音声、テキストなどの素材を必要とするユーザに対してインターネットを利用して即座にデータを検索したり、自由にあるいは課金することによって利用を可能にする分野に利用できる。また、自分の集めた素材データや編集したデータをインターネットを利用して多くの人に利用または購買してもらうことができる。
【０００７】
また本システムを例えば会社などのイントラネットに設定すると、データを本システムの下、一括管理することができ、情報の共有や資料の作成や、様々なデザインにおける共有データベースとして利用できたり、作成履歴情報の公開などを行なうことができる。
【発明を実施するための最良の形態】
【０００８】
以下本発明を実施するための最良の形態を、実施例により詳しく説明する。
【実施例１】
【０００９】
図１は、本発明の実施例１を説明するブロック図である．
図中の（１−１）は、Ｗｅｂサーバマシンの中央演算装置（ＣＰＵ）である。（１−２）はＷｅｂサーバのＷｅｂコンテンツやプログラムなどのデータを保管する記憶装置である。（１−３）はＷｅｂサーバ側のインターネットへのインタフェース：ネットワーク部である。また、（１−１１）はサーバ側の作業領域である。
【００１０】
また図中の（１−５）はクライアントマシン側の中央演算装置（ＣＰＵ）である。（１−６）は記憶装置、（１−７）はクライアントマシン側のネットワーク部、（１−８）はブラウザなどでインターネット上のサーバからダウンロードしてきたＷｅｂコンテンツを見るため等の表示装置で、モニターなどがこれに相当する。（１−９）はブラウザを用いてＷｅｂサーバにアクセスしたり入力値を送るための入力部で、キーボードやマウスなどがこれに相当する。（１−１０）はクライアントマシン側のバッファーなどの作業領域である。なお、（１−４）はインターネット等のネットワークを示している。
【００１１】
図２の（２−１）は本システムを実現するサーバマシンやクライアントマシンで構成されたインターネットあるいはイントラネットの概略図である。（２−２）はパーソナルコンピュータ、ＰＤＡ、メール機能付ファックス、カメラ機能付の携帯電話など、サーバ（２−４）のデータを参照または自身のデータをアップロードするクライアントマシンである。（２−３）は本システムを実現するサーバマシンの模式図であり、（２−４）はサーバマシン内の記憶装置の概略図である。（２−５）は画像、動画、テキスト、オーディオデータなどの素材であるデジタルデータである。（２−７）はデータ使用履歴ファイル、更新履歴あり、サーバマシンやクライアントマシンで保有できる。（２−８）は課金システムである。
【００１２】
本システムにおいては、クラインアントマシン（２−２）がＷｅｂサーバそしてデータ保有マシンであるサーバマシン（２−４）へアクセスして、ユーザが必要とするデジタル素材とその情報（価格など）を検索する。
【００１３】
図３において、本発明実施例１のサーバ側の処理の流れを説明する。
【００１４】
（３−１）：サーバマシン側で素材などのデジタルデータをサーバに保管する。これはクラインアントマシンからネットワークを介してアップロードされてくるデータの保管処理も含む。
【００１５】
（３−２）：サーバマシンに保管されたデータをネットワーク等で公開するためのコンテンツを作成する。
【００１６】
（３−３）：サーバマシンに保管されたデータを検索できるようなコンテンツを作成する。
【００１７】
（３−４）：サーバマシンに保管されたデータが課金対象であるかどうか決定する。課金対象データとする場合は（３−５）ステップに進む。課金対象ではなく無償で公開する場合にはステップ（３−７）に進む。
【００１８】
（３−５）：当該保管されたデジタルデータの価格データを作成する。
【００１９】
（３−６）：課金に関する情報提示用のコンテンツを作成する。
【００２０】
（３−７）：素材データに関する情報提示用のデータを作成する。
【００２１】
この流れににおいては、素材データに関する情報提示用のデータを作成する（３−７）が本実施の処理における主な特徴となる。
【００２２】
図４において、実施例１の処理で、クライアントマシン側のアップロード処理の流れを示す。
【００２３】
（４−１）：画像、テキスト、動画、オーディオなどの素材データを準備する。
【００２４】
（４−２）：上記ステップで準備された素材データをサーバにアップロードする。
【００２５】
（４−３）：上記アップロードする素材データに関する情報、例えば課金するかしないか、またその価格などの情報をサーバに転送する。
【００２６】
図５において、実施例１の処理で、クライアントマシン側のダウンロード処理の流れを示す。
【００２７】
（５−１）：サーバマシンにアクセスして本発明を実施するコンテンツを参照する。
【００２８】
（５−２）：サーバに保管されているデジタル素材データを閲覧または検索する。
【００２９】
（５−３）：必要なデータを検索できた場合ステップ（５−４）に進む。必要なデータを検索できなかった場合はこの処理を終了する。
【００３０】
（５−４）：必要なデータをサーバマシンからクライアントマシンにダウンロード要請する。
【００３１】
（５−５）：検索した必要なデータが課金対象データかどうか、情報データファイルを参照して調べる。課金対象データの場合、ユーザに価格を提示してダウンロードをするかどうか確認し、ダウンロードを希望すると指示された場合は（５−６）へ進む。一方、課金対象データでない場合はステップ（５−７）に進む。またユーザが課金を拒否する場合は処理を終了する。
【００３２】
（５−６）：データの課金システムを実行して、ダウンロードされる情報データに関する価格データに基づいて、課金処理を行なう。
【００３３】
（５−７）：サーバマシンからクライアントマシンにデータをダウンロードする。
【００３４】
（５−８）：選択したデータの情報データを更新して新しい履歴データを作成する。
【実施例２】
【００３５】
実施例２は、素材データだけではなく編集したデータを本システムの保管するデータとする点、そしてクライアントから編集データに対してダウンロードの要請があった場合、編集データに含まれる本システムの素材データに対しても課金が行われる点が、実施例１に付加される主な特徴である。また、実施例２のプロック図は実施例１の図１と兼ねるものとする。
【００３６】
図７において、本発明実施例２のサーバ側の処理の流れを説明する。
【００３７】
（７−１）：サーバマシン側で素材として使用したり編集済みのデジタルデータをサーバに保管する。これはクラインアンマシンからネットワークを介してアップロードされてくるデータの保管処理も含む。
【００３８】
（７−２）：サーバマシンに保管されたデータをネットワーク等で公開するためのコンテンツを作成する。
【００３９】
（７−３）：サーバマシンに保管されたデータを検索できるようなコンテンツを作成する。
【００４０】
（７−４）：サーバマシンに保管されたデータが課金対象であるかどうか決定する。課金対象データとする場合は（７−５）ステップに進む。課金対象ではなく無償で公開する場合にはステップ（７−７）に進む。
【００４１】
（７−５）：素材及び編集データのデジタルデータの価格データを作成する。編集データに本システムが扱う課金対象の素材データが含まれている場合、素材データへの課金も考慮される。
【００４２】
（７−６）：課金に関する情報提示用のコンテンツを作成する。
【００４３】
（７−７）：素材および編集データに関する情報提示用のデータを作成する。
【００４４】
この流れににおいては、素材データに関する情報提示用のデータを作成する（７−７）が本実施の処理における主な特徴となる。
【００４５】
図８において、実施例２の処理で、クライアントマシン側のアップロード処理の流れを示す。
【００４６】
（８−１）：画像、テキスト、動画、オーディオなどの素材データや素材などを使用して編集されたデータを準備する。
【００４７】
（８−２）：上記ステップで準備された素材及び編集データをサーバにアップロードする。
【００４８】
（８−３）：上記アップロードする素材および編集データに関する情報、例えば課金するかしないか、またその価格などの情報をサーバに転送する。編集データに本システムが扱う課金対象のオリジナルの素材データが含まれている場合、該オリジナルの素材データに関する課金も同時に行なわれる。
【００４９】
図９において、実施例２の処理で、クライアントマシン側のダウンロード処理の流れを示す。
【００５０】
（９−１）：サーバマシンにアクセスして本発明を実施するコンテンツを参照する。
【００５１】
（９−２）：サーバに保管されているデジタル素材及び編集済みデータを閲覧または検索する。
【００５２】
（９−３）：必要なデータを検索できた場合ステップ（９−４）に進む。必要なデータを検索できなかった場合はこの処理を終了する。
【００５３】
（９−４）：必要なデータをサーバマシンからクライアントマシンへのダウンロード要請する。
【００５４】
（９−５）：検索した必要なデータが課金対象データがどうか、情報データファイルを参照して調べる。課金対象データの場合、ユーザに価格を提示してダウンロードをするかどうか確認し、ダウンロードを希望する場合は（９−６）へ進む。一方、課金対象データでない場合はステップ（９−７）に進む。またユーザが課金を拒否する場合は処理を終了する。
【００５５】
（９−６）：データの課金システムを実行して、ダウンロードされるデジタル素材又は編集済みデータに設定されている価格データに基づいて課金処理が行われる。編集済みデータの場合は、オリジナルの素材データに関する課金も同時に行なわれる。
【００５６】
（９−７）：サーバマシンからクライアントマシンにデータをダウンロードする。
【００５７】
（９−８）：選択したデータの情報データを更新して新しい履歴データを作成する。
【００５８】
本システムでは、素材をクライアントユーザが自由にアップロードしたり価格を設定して多くの人に利用してもらうシステムを提供する他、使用した素材と別の素材を編集したデータを新たにＷｅｂ上に公開する際にも編集データの価格の中に各素材の価格も自動設定されることにより元の提供者に課金されるようになる。
【００５９】
また本システムはデータの情報や利用状態など一括管理することができ、情報の共有や様々なデザインにおける共有データベースとして利用できたり、作成履歴情報の公開などを行なうことができる。
【００６０】
［その他の実施例］
なお、上述したような本発明は、例えば、システム、装置、方法、プログラムもしくは記憶媒体等としての実施態様をとることが可能であり、具体的には、複数の機器から構成されるシステムに適用しても良いし、また、一つの機器からなる装置に適用しても良い。
【００６１】
尚、本発明は、前述した実施形態の機能を実現するソフトウェアのプログラム（実施形態では図に示すフローチャートに対応したプログラム）を、システムあるいは装置に直接あるいは遠隔から供給し、そのシステムあるいは装置のコンピュータが該供給されたプログラムコードを読み出して実行することによっても達成される場合を含む。
【００６２】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００６３】
その場合、プログラムの機能を有していれば、オブジェクトコード、インタプリタにより実行されるプログラム、ＯＳに供給するスクリプトデータ等の形態であっても良い。
【００６４】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００６５】
その他、プログラムの供給方法としては、コンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるサーバも、本発明に含まれるものである。
【００６６】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００６７】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【００６８】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【図面の簡単な説明】
【００６９】
【図１】実施例１のブロック図
【図２】実施例１を示す概念図
【図３】実施例１のフローチャート（サーバマシン側の処理）
【図４】実施例１のフローチャート（クライアントマシン側のアップロード処理）
【図５】実施例１のフローチャート（クライアントマシン側のダウンロード処理）
【図６】実施例２を示す概念図
【図７】実施例２のフローチャート（サーバマシン側のコンテンツ更新処理）
【図８】実施例２のフローチャート（クライアントマシン側のアップロード処理）
【図９】実施例２のフローチャート（クライアントマシン側のダウンロード処理）
【符号の説明】
【００７０】
１−１  中央演算装置（ＣＰＵ）
１−２  記憶装置
１−３  ネットワーク部
１−４  インターネット等のネットワーク
１−５  ＣＰＵ
１−６  記憶装置
１−７  ネットワーク部
１−８  表示装置
１−９  入力部
１−１０  作業領域
【図１】
2006268113.tif 000003
【図２】
2006268113.tif 000004
【図３】
2006268113.tif 000005
【図４】
2006268113.tif 000006
【図５】
2006268113.tif 000007
【図６】
2006268113.tif 000008
【図７】
2006268113.tif 000009
【図８】
2006268113.tif 000010
【図９】
2006268113.tif 000011